(57)【特許請求の範囲】
【請求項１】
クラブシャフトの先端に固定された木製のヘッド本体と、前記ヘッド本体を下方、側方および後方から覆う金属製のソールと、前記ヘッド本体およびソールの前方に配置されボールを打撃するフェースとを備えたクラブヘッドであって、前記ソールは、
前記フェースから後方に向かって延び前記本体を下方から覆う前底部と、
前記前底部の後端から前記前底部よりも大きな傾きで斜め上方の後方に向かって延び前記本体を前記下方から覆う後底部と、
前記本体の前記前底部で覆われた前部を前記側方から覆う一対の前側部と、
前記本体の前記後底部で覆われた後部の周囲を覆う後周縁部とが一体に形成され、
前記金属製のソールの前記後底部には貫通孔が形成され、前記貫通孔には前記ソールよりも比重の軽い素材が埋設されているか、あるいは、前記貫通孔は空隙に設定され、
前記後周縁部の平均肉厚が前記前側部の平均肉厚よりも大きいクラブヘッド。
【請求項２】
請求項１において、前記金属製のソールの前記前底部には貫通孔が形成されていないか、あるいは、前記後底部の貫通孔の総面積Ａよりも小さい面積の貫通孔が形成されているクラブヘッド。
【請求項３】
請求項２において、前記後周縁部は後方に行く程、肉厚が大きくなるように設定されているクラブヘッド。
【請求項４】
請求項２もしくは３において、前記後底部は前記後周縁部に近づくに従い肉厚が大きくなるように設定され、かつ、前記後底部の平均肉厚が前記前底部の平均肉厚よりも大きいクラブヘッド。
【請求項５】
請求項２、３もしくは４において、前記後底部は後方に行くに従い肉厚が大きくなるように設定されているクラブヘッド。
【請求項６】
請求項２〜５のいずれか１項において、前記後部に重心位置が設定されているクラブヘッド。
【請求項７】
請求項２〜６のいずれか１項において、前記後底部の前記貫通孔の総面積Ａが２ｃｍ2〜２５ｃｍ2の範囲に設定されているクラブヘッド。
【請求項８】
請求項２〜７のいずれか１項において、前記後底部の貫通孔の総面積Ａの前記後底部、前記後周縁部および当該貫通孔の全面積に対する開口率Ｐａが５％〜６０％に設定されているクラブヘッド。
【請求項９】
請求項２〜８のいずれか１項において、前記後底部の貫通孔が複数個設けられているクラブヘッド。
【請求項１０】
請求項９において、前記後底部には前記複数の貫通孔と貫通孔との間において、前記前底部の後端から前記斜め上方の後方に向かって前記後周縁部まで延びる連結部を更に備えるクラブヘッド。
【請求項１１】
請求項２〜８のいずれか１項において、前記ソールが鋳造品であるクラブヘッド。
【発明の詳細な説明】
【技術分野】
【０００１】
本発明は、パークゴルフやグラウンド・ゴルフ（以下、パークゴルフ等という）などのクラブヘッドに関するものである。
【背景技術】
【０００２】
パークゴルフ等の競技においては、クラブヘッドのシャフトの軸周りの慣性モーメントが大きく、かつ、クラブヘッドの重心深度が深い（重心が後方に位置する）方が方向安定性に優れたクラブとなる。一方、これらのクラブヘッドは、基本的に木製でなければならず、例えば、パークゴルフクラブにおいてはヘッド体積の８２％以上が木部で、更に、ヘッドの総重量に関する規則がある。そのため、金属ソールの体積および重量には自ずと限界がある。
【０００３】
従来より、かかるクラブヘッドでは、慣性モーメントの増大を図るために、数個の錘を設けたものが知られている（特許文献１）。
【先行技術文献】
【特許文献】
【０００４】
【特許文献１】ＪＰ２００６−２２３３３１  Ａ
【発明の概要】
【０００５】
しかし、前記先行技術では数個の錘をボルトで取り付けており、そのため、部品点数が増大する上、錘やボルトの形状に木部の形状を合致させる必要があり、そのため、木部の形状が複雑になるなどの問題がある。
【０００６】
したがって、本発明の目的は、シンプルな構造で、シャフトの軸周りの慣性モーメントＩｚが大きく、かつ、ヘッドの重心深度ＧDが深いクラブヘッドを提供することである。
【０００７】
本発明は、１つの局面において、クラブシャフトの先端に固定された木製のヘッド本体と、前記ヘッド本体を下方、側方および後方から覆う金属製のソールと、前記ヘッド本体およびソールの前方に配置されボールを打撃するフェースとを備えたクラブヘッドであって、前記ソールは、
前記フェースから後方たとえば真後に向かって延び前記本体を下方から覆う前底部と、
前記前底部の後端から前記前底部よりも大きな傾きで斜め上方の後方に向かって延び前記本体を前記下方から覆う後底部と、
前記本体の前記前底部で覆われた前部を前記側方から覆う一対の前側部と、
前記本体の前記後底部で覆われた後部の周囲を覆う後周縁部とが一体に形成され、
前記金属製のソールの前記後底部には貫通孔が形成され、前記貫通孔には前記ソールよりも比重の軽い素材が埋設されているか、あるいは、前記貫通孔は空隙に設定され、
前記後周縁部の平均肉厚が前記前側部の平均肉厚よりも大きい。
【０００８】
この局面においては、後周縁部の平均肉厚が前側部の平均肉厚よりも大きいので、ヘッドの重心深度ＧDが深くなる。一方、前記後底部には貫通孔が設けられ、この貫通孔の分だけ前記後周縁部の肉厚を大きくすることで、前記重心深度ＧDが大きくなると共に慣性モーメントＩｚが大きくなる。
【０００９】
ここで、前記後底部に貫通孔を設けるよりも前記前底部に貫通孔を設ける方が重心深度ＧDおよび慣性モーメントＩｚの双方が更に大きくなる。しかし、こうすると、前底部はフェースから後方に向かって概ね水平に延びており、そのため、前記前底部の貫通孔の部分が打球時にグラウンドの小石や異物に接して、クラブヘッドの耐久性が劣化したり、あるいは、見栄えが著しく劣化し易い。
【００１０】
これに対し、本発明においては、前記前底部ではなく、前記前底部よりも大きな傾きで斜め後方に向かって延びる後底部に前記貫通孔を設けており、打球時に、前記後底部は前記グランドなどの地表面に接触しにくいから、前記貫通孔の部位に損傷が生じにくい。したがって、耐久性や見栄えの劣化するおそれがない。
【００１１】
ソールよりも比重の軽い素材が前記貫通孔に充填されている場合は、ソールの見栄えを更に向上させることができる。
かかる、埋設材としては、例えば樹脂や金属の他に、木材や、これらの組成物であってもよい。好ましくは、ウレタンやナイロン、アイオノマーなどの樹脂が採用される。
【００１２】
一方、前記貫通孔が空隙のままである場合には、重心深度ＧDおよび慣性モーメントＩｚの更なる増大を図り得る。
【図面の簡単な説明】
【００１３】
【図１】本発明の一実施例を示すクラブの一部省略した側面図である。
【図２】ソールの一例を示す底面から見た概略斜視図である。
【図３】ソールの一例を示す上面から見た概略斜視図である。
【図４】図４Ａおよび図４Ｂは、それぞれ、図４ＣのＡ−Ａ線およびＢ−Ｂ線断面図、図４Ｃはソールの底面図である。
【発明を実施するための形態】
【００１４】
本発明において、前記金属製のソールの前記前底部には貫通孔が形成されていないか、あるいは、前記後底部の貫通孔の総面積Ａよりも小さい面積の貫通孔が形成されていてもよい。
【００１５】
すなわち、ソールの前底部にも貫通孔が形成されていてもよい。
たとえば、前底部に本発明とは別の目的で貫通孔が存在していてもよいし、更に、貫通孔が小さければ、前記重心深度ＧDおよび慣性モーメントＩｚを増大させる目的で貫通孔が存在していてもよい。
【００１６】
好ましくは、前記後周縁部は後方に行く程、肉厚が大きくなるように設定されていてもよい。
【００１７】
好ましくは、前記後底部は前記後周縁部に近づくに従い肉厚が大きくなるように設定され、かつ、前記後底部の平均肉厚が前記前底部の平均肉厚よりも大きい。ここで、前記肉厚や平均肉厚は貫通孔の部位を除いた金属ソールの厚さを意味する。
かかる場合、薄肉の前底部ではなく、厚肉の後底部に貫通孔を設けて、その分の金属部分を後周縁部に配置したので、貫通孔の欠損により後周縁部の偏肉を大きくでき、そのため、重心深度ＧDおよび慣性モーメントＩｚの増大の効果が大きくなる。
しかも、薄肉の前底部ではなく、厚肉の後底部に貫通孔を設けたので、貫通孔の欠損により後底部の強度が不足するという不具合も生じにくい。
【００１８】
好ましくは、前記後底部は後方に行くに従い肉厚が大きくなるように設定されていてもよい。
好ましくは、前記後部に重心位置が設定されていてもよい。
これらの場合、前記重心深度ＧDおよび慣性モーメントＩｚの更なる増大を図り得る。
【００１９】
好ましくは、前記後底部の前記貫通孔の総面積Ａが２ｃｍ2〜２５ｃｍ2の範囲に設定されていてもよい。より好ましくは、前記総面積Ａは３ｃｍ2〜２０ｃｍ2に設定され、５ｃｍ2〜１５ｃｍ2に設定されるのが最も好ましい。
【００２０】
好ましくは、前記後底部の貫通孔の総面積Ａの前記後底部、前記後周縁部および当該貫通孔の全面積に対する開口率Ｐａが５％〜６０％に設定されていてもよい。より好ましくは、前記開口率Ｐａは７％〜４５％に設定され、１０％〜３５％に設定されるのが最も好ましい。
【００２１】
総面積Ａが小さすぎると、重心深度ＧDおよび慣性モーメントＩｚが十分に増大せず、一方、総面積Ａが大きすぎると、打球時に繰り返し衝撃応力が生じソールの後底部の強度が不足する場合があるからである。
【００２２】
好ましくは、前記後底部の貫通孔が複数個設けられていてもよい。
前記貫通孔の数は１つでもよいが、大きな１つの貫通孔を後底部に形成すると、前記ソールの強度不足が生じ易いのに対し、複数の場合は強度不足が生じにくい。
【００２３】
好ましくは、前記後底部には前記複数の貫通孔と貫通孔との間において、前記前底部の後端から前記斜め上方の後方に向かって前記後周縁部まで延びる連結部を更に備えていてもよい。
【００２４】
前記打球時の繰り返し応力は前後方向に生じるのに対し、前記連結部が前記後周縁部まで延びていることにより、前記後底部の強度不足が生じ難い。
【００２５】
好ましくは、前記ソールが鋳造品であってもよい。
鋳造品は厚さの変化した形状を作製し易い。
【実施例】
【００２６】
以下、本発明の一実施例を図面にしたがって説明する。
図１に示すように、パークゴルフ用のクラブシャフト１の先端１０にはクラブヘッド２が固定されている。
【００２７】
前記クラブヘッド２は、クラブシャフト１の先端１０に固定される木製のヘッド本体２０、該ヘッド本体２０の底部に固定される金属製のソール３０および前記ヘッド本体２０の前面２０ｆに固定されるフェース４０を備えている。プレイヤーは、図１のクラブを振って、クラブヘッド２を後方Ｒから前方Ｆに振り抜き、フェース４０の前面４０ｆでボールを打撃する。
【００２８】
ソール３０は、たとえば１０ｍｍ〜５０ｍｍの高さＨを有しており、前記ヘッド本体２０の下部の一部を覆っている。前記ソール３０は前記ヘッド本体２０の少なくとも一部を下方Ｚ，側方Ｓ（図２）および後方Ｒから覆う。
なお、前記ソール３０は、たとえばアルミ合金やステンレススチール、真鍮、チタン合金などの金属の鋳造品で形成される。
【００２９】
前記ソール３０は互いに一体で前後に連なる前底部３１および後底部３２を備える。前記前底部３１は前記フェース４０から後方Ｒに向かって延び前記本体２０を下方から覆う。前記後底部３２は前記前底部３１の後端３１ｅから前記前底部３１よりも大きな傾きで斜め上方の後方Ｒｏに向かって延び前記本体２０を前記下方Ｚから覆う。
【００３０】
本実施例の場合、前底部３１はボールが載置されるグラウンドや芝などの地表面Ｇに平行に、つまり、後方Ｒの真後に向かって水平に延びていると共に、図２および図３に明示するように、側方Ｓに向かって上方に湾曲している。
【００３１】
一方、図１のように、前記後底部３２は前記前底部３１の後端３１ｅから斜め上方の後方Ｒｏに延びていると共に、図４Ｂのように、側方Ｓに向かって上方に若干湾曲している。
【００３２】
図１において、前記ソール３０は一対の前側部３３および後周縁部３４を一体に備える。前記本体２０の下部は前記ソール３０内に入り込んでおり、前方Ｆがフェース４０で覆われ、前部２１および後部２２の側方Ｓ（図２）が前側部３３および後周縁部３４で覆われている。
【００３３】
図３のように、前記一対の前側部３３は前記前底部３１の側方Ｓにおいて上方に立ち上がり、前記前底部３１で覆われた本体２０の前部２１（図１）を側方Ｓから覆う。
【００３４】
一方、前記後周縁部３４は前記後底部３２および前記前側部３３に連なり、前記後底部３２で覆われた本体２０の後部２２（図１）の側方Ｓおよび後方Ｒの周囲を覆う。
なお、図２に示すように、前側部３３および後周縁部３４の前半部には浅い凹み（非貫通孔）Ｄが形成されていてもよい。
【００３５】
図３に明示するように、前記ソール３０の後底部３２および後周縁部３４の近傍には第１および第２貫通孔Ｈ１，Ｈ２が形成されている。前記第１貫通孔Ｈ１には前記ソール３０よりも比重の軽い素材、例えば、合成樹脂のような埋設材３５が埋設されている。
なお、前記第１貫通孔Ｈ１は空隙に設定されていてもよい。また、前記埋設材３５には、網点を施して図示している。
【００３６】
前記第２貫通孔Ｈ２には、例えば、重心深度ＧDおよび慣性モーメントＩｚを更に増大させるための錘を取り付けるためのボルトや、ソール３０を本体２０に固定するためのボルトなどが挿入されてもよい。
【００３７】
前記後底部３２に埋設された樹脂はクラブヘッド２（図１）の外観の向上に役立つ一方で、前底部３１に設けられた場合と異なり地表面Ｇに接触しにくいからソール３０の耐久性の劣化も生じにくい。
【００３８】
なお、前記金属製のソール３０の前記前底部３１には貫通孔が形成されていないか、あるいは、前記後底部３２の第１貫通孔Ｈ１の総面積Ａよりも小さい総面積の、一つ又は複数の貫通孔が形成されていてもよい。クラブシャフト１の機能を向上させるために貫通孔を設ける必要があったり、あるいは、貫通孔が小さければ、前底部３１の強度低下を招くおそれが少ないからである。
【００３９】
本実施例の場合、４つの貫通孔Ｈ１の総面積Ａは、例えば、１０ｃｍ2程度に設定され、前記後底部３２、後周縁部３４、第１貫通孔Ｈ１および第２貫通孔Ｈ２の全表面積の約２３％程度に設定される。
【００４０】
図３および図４に示すように、前記前底部３１は概ね一定の肉厚で形成されている。なお、前底部３１にメネジを形成するために一部の厚肉のボスが形成されていてもよい。
【００４１】
前記後底部３２は前記前底部３１の後端３１ｅから後方Ｒに行くに従い肉厚が大きくなるように設定されている。更に、前記後底部３２は前記後周縁部３４に近づくに従い肉厚が大きくなるように設定されている。また、前記後周縁部３４は後方Ｒに行く程、肉厚が大きくなるように設定されている。
【００４２】
こうして、前記後周縁部３４の平均肉厚（厚さ）は前記前側部３３の平均肉厚（厚さ）よりも大きくなるように設定されており、これにより、重心深度ＧDおよび慣性モーメントＩｚの増大が図られている。
なお、クラブヘッド２の重心の位置は図１の本体２０の前部２１に設定されている。
【００４３】
特に、図３の薄肉の前底部３１や前側部３３ではなく、厚肉の後底部３２に前記貫通孔Ｈ１を設けて、その分の金属部分を後周縁部３４に配置したので、貫通孔Ｈ１の欠損により後周縁部３４の偏肉を大きくでき、そのため、重心深度ＧDおよび慣性モーメントＩｚの増大の効率が大きい。
【００４４】
図３および図２に示すように、前記後底部３２には複数本のリヴ様の連結部３６が形成されている。前記各連結部３６は前記複数の第１貫通孔Ｈ１と貫通孔Ｈ１との間において、前記前底部３１の後端３１ｅから前記斜め上方の後方Ｒｏに向かって前記後周縁部３４まで延びている。
【００４５】
以上のとおり、図面を参照しながら好適な実施例を説明したが、当業者であれば本明細書を見て、自明な範囲で種々の変更および修正を容易に想定するであろう。
たとえば、貫通孔Ｈ１は前後に長い形状ではなく、側方Ｓに長い形状や円形などであってもよい。
また、後周縁部３４は角形ではなく半円形状などであってもよい。
したがって、そのような変更および修正は、請求の範囲から定まる本発明の範囲内のものと解釈される。
【産業上の利用可能性】
【００４６】
本発明はパークゴルフ等のクラブヘッドに利用することができる。
【符号の説明】
【００４７】
１：クラブシャフト  １０：先端
２：クラブヘッド
２０：ヘッド本体  ２０ｆ：前面  ２１：前部  ２２：後部
３０：ソール  ３１：前底部  ３１ｅ：後端  ３２：後底部  ３３：前側部  ３４：後  周縁部  ３５：埋設材  ３６：連結部
Ｈ１：第１貫通孔  Ｈ２：第２貫通孔  Ｄ：凹み（非貫通孔）
４０：フェース  ４０ｆ：前面
Ｆ：前方  Ｒ：後方  Ｒｏ：斜め上方の後方  Ｓ：側方  Ｚ：下方
ＧD：重心深度  Ｉｚ：慣性モーメント
Ａ：総面積  Ｐａ：開口率
【図１】
0005938251.tif 000002
【図２】
0005938251.tif 000003
【図３】
0005938251.tif 000004
【図４】
0005938251.tif 000005